(57)【要約】  データ処理システムにおける無線データ通信のための方法および装置は、無線データ通信の装置を設定し、データメッセージを受信または送信する無線トランシーバモジュールと、前記無線データ通信装置および前記装置内のインターフェースモジュールを制御する制御モジュールとを設定し、直列または並列接続に基づいてあるいは前記装置とデータ処理システムとの間の無線通信インターフェースに基づいてメッセージスイッチチャンネルを設定するステップを含んでおり、前記無線データ通信装置はトランシーバモジュールを使用して公衆無線ネットワークによって前記データメッセージを送信または受信する。前記装置は、主フレームコンピュータ、および移動電話網によりメッセージを受信または送信することのできる無線トランシーバモジュールのような種々のインターフェースによって種々のデータ処理装置に接続し、それは各移動電話会社により提出頼された通信サービスを直接使用することができ、それには常におよび低コストでオンラインであるという利点があり、さらに、それはまたメッセージを送信および獲得するためにインターネットに接続することができるため、無線ログオンネットワークの機能を行うことができる。
2005516480.tif 000002
【特許請求の範囲】
【請求項１】
Ａ．データ情報を受信または送信することのできる無線トランシーバモジュール(8)と、無線データ通信装置を制御する制御装置モジュール(17)と、インターフェースモジュール(5)とがインストールされた無線データ通信装置とが設けられ、種々のモジュールは物理的に別々に存在することも、１または２個のモジュールに統合されることも可能であり、
Ｂ．直列、並列、または無線通信インターフェースに基づいて無線データ通信装置とデータ処理システムとの間に情報交換チャンネルを設定するステップを含んでおり、
Ｃ．データ情報を公衆無線ネットワークによって送信または受信するために無線トランシーバモジュール(8)を使用する無線データ通信装置を備えているデータ処理システムの無線データ通信方法。
【請求項２】
Ｄ．データ処理システムに対する外部記憶機能を無線データ通信装置に与える記憶媒体モジュール(11)を無線データ通信装置内に設定するステップをさらに含んでいることを特徴とする請求項１記載の方法。
【請求項３】
Ｅ．識別コードモジュール(3)中に記憶されている識別コードを無線データ通信装置に与えるステップをさらに含んでいることを特徴とする請求項１記載の方法。
【請求項４】
Ｆ．無線データ通信装置を制御し、駆動するために無線データ通信装置のドライバをデータ処理システム中に設定するステップをさらに含んでいることを特徴とする請求項１記載の方法。
【請求項５】
直列または並列あるいは無線通信インターフェースは、ＵＳＢ（ユニバーサルシリアルバス）、ＩＥＥＥ１３９４、ＰＣＭＣＩＡ、ＣＰまたはブルートゥースインターフェースであることを特徴とする請求項１記載の方法。
【請求項６】
公衆無線ネットワークは、ＧＳＭ、ＧＰＲＳ、ＣＤＭＡ、ＷＣＤＭＡ、ＣＤＭＡ２０００またはＣＤＰＤネットワークであることを特徴とする請求項１記載の方法。
【請求項７】
無線データ通信装置の動作電源は、直列または並列インターフェースを介して接続されていることを特徴とする請求項１記載の方法。
【請求項８】
無線データ通信装置の指示の機能は、動作モード指示モジュール(2)上の指示素子により行われることを特徴とする請求項１記載の方法。
【請求項９】
指示素子は、ＬＥＤ、ＬＣＤ、バイブレータまたは音響器であることを特徴とする請求項８記載の方法。
【請求項１０】
データが記憶媒体モジュール(11)中に書込まれることを阻止するために書込み保護機能が設けられていることを特徴とする請求項１記載の方法。
【請求項１１】
無線データ通信装置において狭いスロットが設けられ、電気コンタクトがこのスロット中においてＳＩＭ（加入者識別モジュール）カードの挿入のために使用され、操作点が狭いスロットのそばに設けられており、この操作点を押すことにより、挿入されたＳＩＭカードがばねによって排出可能な構成されていることを特徴とする請求項１記載の方法。
【請求項１２】
データ処理システムと無線データ通信装置を接続する直列、並列または無線インターフェースモジュール(5)と、制御装置モジュール(17)と、および無線トランシーバモジュール(8)とを具備し、
制御装置モジュール(17)はインターフェースモジュール(5)および無線トランシーバモジュール(8)と接続され、データ情報の流れをサポートし、制御装置モジュール(17)は種々のモジュールの動作を調整する無線データ通信装置。
【請求項１３】
さらに、好ましくはフラッシュメモリを使用している記憶媒体モジュール(11)を備えていることを特徴とする請求項１２記載の装置。
【請求項１４】
さらに、識別コードを記憶する識別コードモジュール(3)を備えていることを特徴とする請求項１２記載の装置。
【請求項１５】
直列、並列または無線通信インターフェースは、ＵＳＢ、ＩＥＥＥ１３９４、ＰＣＭＣＩＡ、ＣＦまたはブルートゥースインターフェースであることを特徴とする請求項１２記載の装置。
【請求項１６】
無線データ通信装置の動作電源は、直列または並列インターフェースを介して接続されていることを特徴とする請求項１２記載の装置。
【請求項１７】
無線データ通信装置の動作状態を示す指示素子を備えていることを特徴とする請求項１２記載の装置。
【請求項１８】
指示素子は、ＬＥＤ、ＬＣＤ、バイブレータまたは音響器であることを特徴とする請求項１７記載の装置。
【請求項１９】
データが記憶媒体モジュール(11)中に書込まれることを阻止する書込み保護スイッチを備えていることを特徴とする請求項１２記載の装置。
【請求項２０】
無線データ通信装置上に狭いスロット(20)が設けられており、ＳＩＭカード(28)を挿入して電気的に接続するために電気コンタクト(21)と、レバー(22)と、およびばね(23)がこのスロット中で使用され、操作点(24)がこの狭いスロット(20)のそばに設けられ、この操作点(24)を押すことにより、挿入されたＳＩＭカードがばねによって排出可能にされていることを特徴とする請求項１２記載の装置。
【発明の詳細な説明】
【技術分野】
【０００１】
本発明は、データ情報の伝送に関し、とくに、公衆無線ネットワークを使用して通信するデータ処理システムのための方法およびその装置に関する。
【背景技術】
【０００２】
コンピュータ技術およびインターネットの急速な発達により情報時代が到来した。しかしながら、コンピュータおよびインターネットは、公衆交換電話網によって、あるいは別の専用ネットワークインターフェースによって接続される必要がある。これは、情報の送信または受信を所望しているが、使用可能なネットワーク接続を見つけることのできない旅行中の人々にとっては不便である。移動電話の普及は人々に普通ではできない通話を可能にし、移動電話のショートメッセージサービスはまた通常の通信要求に合致している。しかしながら、人々は情報サービスに対して種々のニーズを持っており、たとえば、証券会社は、株式市場の瞬時に変化する情報をそのクライアントに即座に知らせる必要があり、銀行は各銀行支店と瞬時におよび秘密保護されて安全に金融情報を交換する必要がある。このような株式市場および金融情報はネットワーク伝送によって交換される必要があり、時には、人々が繰返し調査するのに便利であるように記憶される必要がある。
【発明の開示】
【発明が解決しようとする課題】
【０００３】
本発明の目的は、従来技術における上述した欠点を克服するためにデータ処理システムの無線データ通信の方法および装置を提供することであり、それは、データ処理システムが公衆無線ネットワークによって情報を受信および送信することを可能にする方法および装置であり、この方法および装置は記億機能および加入者の識別コードを有している。
【課題を解決するための手段】
【０００４】
本発明の目的は、以下の技術的解決方法によって達成されることができる：
本発明によると、データ処理システムの無線データ通信方法は、
Ａ．データ情報を受信または送信することのできる無線トランシーバモジュールと、無線データ通信装置を制御する制御装置モジュールと、インターフェースモジュールとがインストールされた無線データ通信装置を提供し、物理的に、種々のモジュールは別々に存在することが可能であるが、１または２個のモジュールに統合されることも可能であり、
Ｂ．直列、並列、または無線通信インターフェースに基づいて無線データ通信装置とデータ処理システムとの間に情報交換チャンネルを設定するステップを含んでおり、
Ｃ．データ情報を公衆無線ネットワークによって送信または受信するために無線トランシーバモジュールを使用する無線データ通信装置を備えている。
【０００５】
本発明はさらに、データ処理システムの外部記憶機能を無線データ通信装置が行うことを可能にする記憶媒体モジュールを無線データ通信装置内にインストールするステップＤを含んでいる。
【０００６】
本発明はさらに、識別コードモジュール中に記憶されている識別コードを無線データ通信装置に提供するステップＥを含んでいる。
【０００７】
本発明はさらに、無線データ通信装置を制御し、駆動する無線データ通信装置のドライバをデータ処理システムに設けるステップＦを含んでいる。
【０００８】
本発明の直列または並列あるいは無線通信インターフェースは、ＵＳＢ（ユニバーサルシリアルバス）、ＩＥＥＥ１３９４、ＰＣＭＣＩＡ、ＣＰまたはブルートゥースインターフェースである。
【０００９】
本発明において使用される公衆無線ネットワークは、ＧＳＭ、ＧＰＲＳ、ＣＤＭＡ、ＷＣＤＭＡ、ＣＤＭＡ２０００またはＣＤＰＤネットワークである。
【００１０】
本発明の無線データ通信装置の動作電源は、直列または並列インターフェースによって接続されている。
【００１１】
本発明は無線データ通信装置の動作状態を示す機能を有し、その機能は動作状態指示モジュール上の指示素子により行われる。
【００１２】
本発明の指示素子は、ＬＥＤ、ＬＣＤ、バイブレータまたは音響器である。
【００１３】
本発明はさらに、データが記憶媒体モジュール中に書込まれることを書込み保護機能により阻止されるように設計されている。
【００１４】
本発明の無線データ通信装置上には、狭いスロットが設計されている。このスロット中の電気コンタクトはＳＩＭ（加入者アイデンティティモジュール）カードの挿入のために使用され、操作点はこの狭いスロットのそばに設定される。この操作点を押すことにより、挿入されたＳＩＭカードはばねによって外に出されることができる。
【００１５】
本発明によると、データ処理システムの無線データ通信装置は、データ処理システムと無線データ通信装置を接続する直列、並列または無線通信インターフェースモジュールと、制御装置モジュールと、および無線トランシーバモジュールとを備えており、制御装置モジュールはインターフェースモジュールおよび無線トランシーバモジュールと接続され、データ情報の流れをサポートし、また、制御装置モジュールは種々のモジュールの動作を調整する。
【００１６】
本発明はまた、フラッシュメモリを使用することが好ましい記憶媒体モジュールを備えている。
【００１７】
本発明はさらに、識別コードを記憶する識別コードモジュールを備えている。
【００１８】
本発明の直列、並列または無線通信インターフェースは、ＵＳＢ、ＩＥＥＥ１３９４、ＰＣＭＣＩＡ、ＣＦまたはブルートゥースインターフェースである。
【００１９】
本発明の無線データ通信装置の動作電源は、直列または並列インターフェースによって接続されている。
【００２０】
本発明は、無線データ通信装置の動作状態を示す指示素子を備えている。
【００２１】
本発明の指示素子は、ＬＥＤ、ＬＣＤ、バイブレータまたは音響器である。
【００２２】
本発明はさらに、データが記憶媒体モジュール中に書込まれることを阻止するための書込み保護スイッチを備えている。
【００２３】
本発明の無線データ通信装置上には、狭いスロットが設計されている。このスロット中の電気コンタクト、レバーおよびばねは、ＳＩＭカードを挿入して電気的に接続するために使用され、操作点はこの狭いスロットのそばに設定される。この操作点を押すことにより、挿入されたＳＩＭカードはばねによって外に出されることができる。
【００２４】
本発明には、従来技術と比較して以下の利点がある。  
本発明は、コンピュータホストのような種々のデータ処理装置と種々のインターフェースを介して接続することができ、無線電話網により、および移動電話会社（たとえば、Ｃｈｉｎａ  Ｍｏｂｉｌｅ社、Ｃｈｉｎａ  Ｕｎｉｃｏｍ社等）によって提供されるショートメッセージ、音声、データ通信等の通信サービスを使用して、情報の受信および送信を可能にする無線受信および送信モジュールを備えている。それは広い領域をカバーする利点があり、常におよび低コストでオンラインである。本発明はまた無線アクセスの機能を獲得するためにインターネットと接続されて、情報を送信または受信することができる。
【００２５】
本発明には、以下の利点も有している：それは、電子識別カードとして使用されることのできる識別コードを有しており、これはアプリケーションプログラムから直接呼出されることができ、通信データまたは装置自身の暗号化または認識を行うことも可能である。本発明はまた記憶機能を備えることができ、無線データ通信装置にデータ処理システムの外部記憶機能を行わせることができ、データ処理システムによって種々の種類の情報の入力、出力および記憶を行うことが可能であり、アプリケーションソフトウェアおよびデータをフレキシブルにおよび都合よく記憶することもできる。本発明は、ＵＳＢ、ＩＥＥＥ１３９４、ＰＣＭＣＩＡ、ＣＰ、ブルートゥース、フラッシュメモリおよび無線通信等の進歩した技術と関連付けられ、移動通信と移動記憶技術を適切に組合せ、情報を交換または記憶するために公衆無線ネットワークを使用する新しい方法を提供することができる。製造された製品は小型で軽量であり、無線移動電話またはコンピュータのような装置の間でクロスオーバーデータ転送を達成することができ、また、その記憶および無線通信性能は信頼性が高く、優れている。本発明は、ＲＳ２３２直列インターフェースのデータフォーマットにマップされたＵＳＢインターフェースのデータフォーマットを有しているため、理論上は、直列ポートに基づいた通常のアプリケーションプログラムが修正なしで本発明に適用可能である。、安全性、使いやすさ、汎用性、可搬性に関して通常の記憶通信製品と比較されたとき、それには比類のない利点がある。１つのデータ処理システムは、装置の利用度を改善し、システムの入力および出力のスループットを増加させ、情報をブロックなしにバッチで送受信するために本発明のいくつかの装置を支持していることができる。このような機能はグループユーザの使用に適している。
【００２６】
さらに本発明には、送信機および受信機の機能、音声信号を電気信号に変換する、あるいは電気信号を音声信号に変換してそれらをスピーカから発生する機能を含む以下のような利点を有している。
【発明を実施するための最良の形態】
【００２７】
以下、添付図面を参照として好ましい実施形態をさらに詳細に説明する。  
図１に示されているように、データ処理システムの無線データ通信の方法は、以下のステップを含んでいる：
Ａ．データ情報を受信または送信することのできる無線トランシーバモジュール8と、無線データ通信装置を制御する制御装置モジュール17およびインターフェースモジュール5とがインストールされた無線データ通信装置を提供し、物理的に、種々のモジュールは別々に存在することが可能であり、１または２つのモジュールに統合されることも可能であり、
Ｂ．直列、並列、または無線通信インターフェースに基づいて無線データ通信装置とデータ処理システムとの間に情報交換チャンネルを設定するステップを含んでおり、
Ｃ．データ情報を公衆無線ネットワークによってデータ情報を送信または受信するために無線トランシーバモジュール8を使用する無線データ通信装置を備え、
Ｄ．データ処理システムの外部記憶機能を無線データ通信装置に与えるために記憶媒体モジュール11を無線データ通信装置内にインストールし、
Ｅ．識別コードモジュール3中に記憶されている識別コードを無線データ通信装置に与え、
Ｆ．無線データ通信装置を制御し、駆動する無線データ通信装置のドライバをデータ処理システムにおいて提供する。
【００２８】
本発明の直列または並列あるいは無線通信インターフェースは、ＵＳＢ、ＩＥＥＥ１３９４、ＰＣＭＣＩＡ、ＣＰまたはブルートゥースインターフェースである。公衆無線ネットワークには、ＧＳＭ、ＧＰＲＳ、ＣＤＭＡ、ＷＣＤＭＡ、ＣＤＭＡ２０００またはＣＤＰＤネットワークが含まれる。無線データ通信装置の動作電源は、直列または並列インターフェースによって接続される。本発明の無線データ通信装置の動作状態を示す機能は、動作モード指示モジュール上の指示素子により行われる。指示素子は、ＬＥＤ、ＬＣＤ、バイブレータまたは音響器である。本発明は、データが記憶媒体モジュール11中に書込まれることを書込み保護機能により阻止されるように設計されている。ブルートゥースインターフェースを使用したとき、無線データ通信装置の動作電源は電池または外部電源から接続される。本発明において、狭いスロットが無線データ通信装置上に設計されている。このスロット中の電気コンタクトはＳＩＭ（加入者アイデンティティモジュール）カードの挿入のために使用され、操作点はこの狭いスロットのそばに設定される。この操作点を押すことにより、挿入されたＳＩＭカードはばねによって外に出されることができる。
【００２９】
図１に示されているように、データ処理システムの無線データ通信装置は、データ処理システムと無線データ通信装置を接続する直列、並列または無線インターフェースモジュール5と、制御装置モジュール17と、および無線トランシーバモジュール8とを備えており、制御装置モジュール17はインターフェースモジュール5および無線トランシーバモジュール8と接続され、データ情報の流れをサポートし、また、制御装置モジュール17は種々のモジュールの動作を調整する。
【００３０】
装置はまた記憶媒体モジュール11を備えており、フラッシュメモリを使用することが好ましい。本発明は、識別コードを記憶する識別コードモジュール3を備えている。識別コードは、本発明の装置のただ１つの製造番号または文字ストリングであり、また、ファームウェアとして装置中に書込まれて修正されたその装置の電気識別カードであることができる。識別コードはまた製造番号または文字ストリングのグループであることができる。
【００３１】
装置の直列、並列または無線通信インターフェースには、ＵＳＢ、ＩＥＥＥ１３９４、ＰＣＭＣＩＡ、ＣＦまたはブルートゥースインターフェースが含まれる。動作電源は、直列または並列インターフェースを介して接続されている。本発明はさらに、無線データ通信装置の動作状態を示す指示素子を備えている。本発明の指示素子は、ＬＥＤ、ＬＣＤ、バイブレータまたは音響器である。本発明はまた、データが記憶媒体モジュール11中に書込まれることを阻止する書込み保護スイッチを備えている。
【００３２】
本発明のデータ処理システムは、一般に、種々のパーソナルコンピュータ、ミニコンピュータ、データ処理ワークステーション、および外部記憶装置を必要とする種々の専用データ処理システムを含む、データを処理することのできる種々の電子装置のことであるが、それらだけに限定されない。
【００３３】
本発明のハードウェア構造は図１に示されている複数のモジュールに分けられる。以下、種々の主モジュールの主要な機能をそれぞれ説明する。
【００３４】
電源モジュール1は電力を本発明の無線データ通信装置に供給し、ホストＵＳＢバスにより供給された直流＋５Ｖ電源を＋３．３Ｖに変換して、記憶媒体モジュールおよび無線トランシーバモジュールの動作の電力要求を満足させる。図面の接続ラインを簡単にするために、図１において電源1とその他のモジュールとの間の全ての接続ラインは省略されている。図２に示されているように、Ｖ ＢＵＳは、ホストのＵＳＢバスのために設けられた直流＋５Ｖ電源であり、これはチップＵ４および並列接続されたフィルタ処理キャパシタＣ１３、Ｃ１４、Ｃ１５、Ｃ１６によって３．３Ｖ電源に変換される。
【００３５】
本発明の動作状態指示モジュール2は、無線トランシーバの動作状態の指示およびインターフェースの接続状態の指示を行う。このモジュールの主要な機能は、ネットワークをサーチすると共に情報を送受／受信しながら無線トランシーバの動作状態を示す１つの部分と、本発明の無線データ通信装置とインターフェースとの間の接続が正常に動作しているか否かを示す別の部分の２つの部分を含んでいる。図面を簡単にするために、図１において、動作指示モジュール2とその他のモジュールとの間の接続ラインは省略されている。図３に示されているように、無線トランシーバモジュール8からのフラッシュ信号はトランジスタＱ１のベース電極に入力し、Ｖ ＢＵＳは電力を供給して、無線送信／受信状態を示すように発光ダイオードＬＥＤ１を制御する。制御装置モジュール17からのＳＴ状態信号とＶ ＢＵＳ  ２＋５Ｖ電源は、インターフェース（たとえば、ＵＳＢ）の接続状態を示すように発光ダイオードＬＥＤ３を制御する。動作状態指示モジュール2は、ＬＥＤ、ＬＣＤ、バイブレータまたは音響器である指示素子を含んでいる。
【００３６】
識別コードが製造番号または文字ストリングだけであることのできる識別コードモジュール3は、本発明の装置の電子識別カードとして使用されることができ、暗号化／解読アルゴリズム用の暗号キーを提供することができる。識別コードモジュール3は、単一バスのモードで制御装置モジュール17と接続されることができる。図４に示されているように、このモジュールはＤＳ２４０１チップＵ６を使用し、Ｖ  ＢＵＳ１直流＋５Ｖが電力を供給する。識別コードは装置中において確認されることができ、修正されることも可能である。識別コードはまた、製造番号または文字ストリングのグループであることもできる。
【００３７】
無線ネットワーク加入者識別モジュール4の主要な機能は、無線トランシーバモジュール8とこの無線ネットワーク加入者識別モジュールとの間に標準的なインターフェースを提供することである。識別カードは、主に加入者の関連情報を記憶するために使用されるＳＩＭ（加入者識別モジュール）カードであることができるが、それに限定されない。このモジュール4は識別カードインターフェースを介して無線トランシーバモジュール8に接続される。図５に示されているように、このモジュールはＳＩＭカードソケットＣＯＮ４および混信防止チップＵ７を使用し、ＣＯＮ４およびＵ７のＳＩＭＤＡＴＡ、ＳＩＭＶＣＣ、ＳＩＭＲＳＴのピンが無線トランシーバモジュール8と並列に接続される。モジュール4および無線トランシーバモジュール8は２つの別々のモジュールであるが、統合されることができる。
【００３８】
インターフェースモジュール5は、データ処理システムと無線データ通信装置とを接続する直列、並列または無線通信インターフェースを提供する。直列、並列または無線通信インターフェースはＵＳＢ、ＩＥＥＥ１３９４、ＰＣＭＣＩＡ、ＣＰまたはブルートゥースインターフェースである。この実施形態では、ＵＳＢインターフェースが使用されている。
【００３９】
制御装置モジュール17は、無線データ通信制御モジュールおよび記憶制御モジュールを含んでいる。無線データ通信制御モジュールおよび記憶制御モジュールは別々であることができ、また、統合されることができる。第１のファームウェアソフトウェアは制御装置モジュール17中において確認される。その主要な機能は、標準的なＲＳ２３２直列ポートを介して無線トランシーバモジュール8と通信することである。それは、直列、並列または無線通信インターフェースを制御する機能を備え、インターフェースモジュール5を介してホストと通信する。図７に示されているように、モジュールは、ＵＳＢインターフェース制御の機能を備えたマイクロプロセッサである６４ＰＩＮ専用処理チップＵ５を使用する。図中のＸＴ２は６ＭＨｚの結晶発振器である。第２のファームウェアソフトウェアはまた制御装置モジュール17中において確認される。その主な機能は、インターフェースを制御し、インターフェースモジュール5と通信し、また、記憶媒体（たとえば、フラッシュメモリ）モジュール11の主制御チップとして記憶媒体の読出しおよび書込みのような動作を制御することである。図１１に示されているように、このモジュールは、ＵＳＢインターフェース制御の機能を備えた６４ＰＩＮ  ＮＴ２００７専用マイクロプロセッサＵ９を使用する。図中のＸＴ３は８ＭＨｚの結晶発振器である。第１のファームウェアソフトウェアおよび第２のファームウェアソフトウェアは別々であってもよく、また、統合されてもよい。
【００４０】
制御装置モジュール17中の無線データ通信制御モジュールおよび記憶制御モジュールは別々であり、インターフェースモジュール5はＵＳＢ  ＨＵＢモジュール6と接続されている。ＵＳＢ  ＨＵＢモジュール6の主要な機能は、制御装置モジュール17とインターフェースモジュール5との間で通信を行うために、制御装置モジュール17中において無線データ通信制御モジュールおよび記憶制御モジュールを接続する２つの下方ＵＳＢポートを制御装置モジュール17に提供することである。図６に示されているように、ＵＳＢ  ＨＵＢモジュール6はＮＴ００５チップを使用してＵＳＢ  ＨＵＢ機能を行う。チップＮＴ００６はＮＴ００５用の電流保護チップである。外部クロック周波数は６ＭＨｚである。
【００４１】
無線トランシーバモジュール8の主要な機能は、制御装置モジュール17と無線ネットワーク加入者識別モジュールとの間で無線ネットワーク加入者識別モジュールを介して通信を行い、ＳＭＳ、ＤＡＴＡ、ＦＡＸ、音声等のデータ情報を受信または送信することである。本発明において、無線トランシーバモジュール8は、ユニバーサルＳＩＭカードインターフェースを介してモジュール4と接続され、標準的なＲＳ２３２インターフェースを介して制御装置モジュール17と接続され、５０オ−ムの高周波給電線によってトランシーバアンテナ9と接続される。図８に示されているように、無線トランシーバモジュール8はＳｉｅｍｅｎｓＴＣ３５モジュールのチップを使用することができ、この場合の本発明の無線データ通信装置はＧＳＭネットワークにおいて動作することができる。無線トランシーバモジュール8は図９に示されているＷａｖｅｃｏｍ  ＷＩＳ０２Ｃモジュールを使用することができ、無線データ通信装置はＧＳＭネットワークおよびＧＰＲＳネットワークにおいて動作可能である。無線トランシーバモジュール8はまた図１０に示されているＵｂｉＮｅｔｉｃｓ  ＧＭ４００／ＧＭ４０１モジュールを使用することができ、この場合の本発明の無線データ通信装置はＧＳＭネットワークおよびＧＰＲＳネットワークにおいて動作することができる。無線トランシーバモジュール8はまた、本発明の無線データ通信装置がＣＤＭＡおよびその他のネットワークにおいて動作することができるように別のモジュールを使用することができる。
【００４２】
トランシーバアンテナ9の機能は、無線トランシーバモジュールの出力インピーダンスを高周波給電線と整合させることである。５０オームのユニバーサル二重周波数移動電話アンテナがトランシーバアンテナ9を実現するために使用可能である。トランシーバアンテナ9は個別のものであってもよく、また、無線トランシーバモジュール8と統合されてもよい。
【００４３】
記憶媒体モジュール11の機能は、データファイルおよび全種類の情報を記憶することである。このモジュールは、データ信号および制御信号のレベル変換回路を含んでいる。記憶媒体は、フラッシュメモリ、ＭＲＡＭ、ＤＲＡＭ、ＳＤＲＡＭ、ＥＥＰＲＯＭ、ＳＲＡＭおよびＥＰＲＯＭを含む半導体記憶媒体であることができるが、これに限定されない。図１２に示されているように、モジュールはＦＬＡＳＨ１チップＵ８および７４ＬＣＸ２４５チップＵ１０を使用し、Ｕ１０は＋５Ｖ信号レベルを＋３．３Ｖ信号レベルに変換するためにデータ信号ＦＤ０−ＦＤ７のレベル変換を行うために使用される。抵抗ネットワークＲ４７、Ｒ４８、Ｒ４９、Ｒ５０、Ｒ５１、Ｒ５２、Ｒ５３、Ｒ５４、Ｒ５５、Ｒ５６は、制御信号のレベル変換を制御するために、すなわち、＋５Ｖ信号レベルを＋３．３Ｖ信号レベルに変換するために使用される。
【００４４】
送信機／受信機モジュール12は、音声信号を受信し、音声信号を電気信号に変換し、あるいは電気信号を音声信号に変換してこれらの信号をスピーカから発生する機能を備えている。送信機／受信機モジュール12と無線トランシーバモジュール8との間の接続は、アナログ信号を両方向に送信することを可能にする。送信機／受信機モジュール12は市販されている種々のタイプのモジュールを使用することができる。
【００４５】
本発明のファームウェアはソフトウェアとハードウェアの組合せであり、マイクロプロセッサ中において確認されるソフトウェアである。マイクロプロセッサが給電された後、リセットするまでマイクロプロセッサ中で確認されるファームウェアを実行することにより、設計者により要求される一連の動作が行われる。図１３には、本発明のアプリケーションソフトウェアにおけるファームウェアの位置、およびファームウェアとオペレーティングシステムとドライバとの間の関係が示されている。本発明のドライバは、ホストコンピュータシステムのオペレーティングシステム中において動作する。
【００４６】
第１のファームウェアが主に行う機能には以下のものが含まれる：
ａ．パワーオンおよび初期化；マイクロプロセッサの直列ポートは逐次の送信／受信割込みに設定され、直列ボーレートは９６００ビット／秒であることができる
ｂ．ＵＳＢシステムの設定；ＵＳＢインターフェースの設定はメッセージ転送インターフェースおよびデータインターフェースであり、メッセージ転送インターフェースは割込み伝送として定義され、データインターフェースは、加入者に識別コードを転送することを目的とする製造業者ユーザ定義クラス（ｌａｓｓ）であるバッチ伝送として定義される
ｃ．無線トランシーバモジュール8の制御
ｄ．無線間トランシーバモジュール8とＵＳＢインターフェースとの間におけるデータの両方向伝送の実行。
【００４７】
本発明は、３２Ｋ  ＳＲＡＭをデータバッファとして使用し、したがってデータを受信および送信する速度は著しく増加する。
【００４８】
図１４には、第１のファームウェアの動作フローが示されている。  
ユーザが本発明の無線データ通信装置をコンピュータの対応したインターフェース中に挿入したとき、パワーオン時にオペレーティングシステムが自動的に装置のドライバを発見し、マイクロプロセッサはそこにおいて確認されるファームウェアをすぐに実行し始める。それは、以下のステップを含んでいる：
ａ．マイクロプロセッサおよびその周辺インターフェースチップを初期化し、
ｂ．オペレーティングシステムがＵＳＢインターフェースチップの制御通路をチェックすると同時にＵＳＢインターフェースチップがマイクロプロセッサへの割込みを発生し、その後、マイクロプロセッサがＵＳＢインターフェースチップを動作することによりオペレーティングシステムと接続し、それによって、一連の標準的なＵＳＢ構成の後、本発明の無線データ通信装置に適したドライバが全てロードされ、
ｃ．マイクロプロセッサは、コードが識別、暗号化等のアプリケーションプログラムにおいてフレキシブルに適用されることができるが特有のコードをオペレーティングシステムに与えるように製造業者のユーザ定義構成のリクエストにより識別コードモジュール3にアクセスし、マイクロプロセッサはオペレーティングシステムのリクエストにしたがって無線トランシーバモジュール8の動作状態を制御し、
ｄ．マイクロプロセッサは、データ伝送に対するリクエストが存在するとき、ベース層オペレーティングシステムと無線トランシーバモジュールとの間でデータを送信する。
【００４９】
本発明の第２のファームウェアの動作フローは図１５に示されている。ファームウェアは装置を初期化し、無線データ通信装置および記憶装置がデータ処理システムに接続された後、移動記憶装置の構成をオペレーティングシステムに示し、また、それは動作リクエストを待って、フラッシュメモリの標準的なＵＳＢ動作および特殊動作をそれぞれ処理し、その後フラッシュメモリの標準的なＵＳＢ動作および特殊動作の実行を支援するためにＵＳＢインターフェースを介して処理結果、状態またはその他の情報をホストオペレーティングシステムに戻し、動作リクエストの待機を続ける。
【００５０】
本発明は、通信機能および記憶機能を行うことのできるドライバを有することができる。一般的に述べると、通常のドライバは、コンピュータハードウェアに接続するソフトウェアインターフェースを提供し、オペレーティングシステムの一部としてロードされる。したがって、ユーザアプリケーションソフトウェアは、ハードウェアの制御方法を考慮せずに標準的な方法でこのハードウェアにアクセスすることができる。本発明のドライバもまたこのような機能を提供する。それは、このアプリケーションソフトウェアにユニバーサルプログラミングインターフェースにより本発明の装置を動作させる。たとえば、無線データ送信／受信ドライバは、ネットワーク接続を設定し、ショートメッセージを送信／受信する等の機能と、ホストオペレーティングシステムと協同してハードウェアの設置、除去のアクティビティを処理する機能とを備えている。ドライバは、本発明の製品の汎用性および信頼性を改善するためにＵＳＢ規格を使用することが好ましい。通常のコンピュータ周辺装置のドライバとは異なったドライバの主要なタスクの１つは、ＵＳＢインターフェースのデータフォーマットをＲＳ２３２直列インターフェースのデータフォーマットにマップさせることである。したがって、本発明はオペレーティングシステムおよびアプリケーションプログラムに関して直列装置である。理論的には、直列ポートに基づいた通常のアプリケーションプログラムが修正無しに本発明に適用されることができる。これには、本発明のドライバが仮想ＲＳ２３２直列インターフェースを設定する必要がある。さらに、ドライバは、マルチポート設置、装置の突然の除去等の状況を処理しなければならない。
【００５１】
仮想直列ポートを設定する主なステップは、以下のとおりである：
ステップ１：本発明に対して機能ドライバを提供し、直列ポートの物理的ドライブオブジェクト（ＰＤＯ）を列挙するバスドライバがプログラムされる。仮想直列ポートを設定する第１のステップはドライバにおいてそれを列挙し、その後適切な通知を受取った後にその仮想ポートを表現するために新しいドライブオブジェクトを設定することである。
【００５２】
仮想ポートの設定後、バスドライバは、装置関係ＩＯ無効化を呼出すことにより入力／出力マネジャに通知し、その後ＩＲＰ ＱＵＥＲＹ ＩＤを受取った後に特有のハードウェアＩＤを戻す。それによって、設置期間中にファイルをセットアップする新しい位置を選択するようにユーザに指示することが確実にされることができる。他方において、ドライバは、それがＩＲＰ ＭＮ ＱＵＥＲＹ ＣＡＰＡＢＩＬＩＴＩＥＳを受取ったときに装置を元の装置として示さなければならない。
【００５３】
ステップ２：新しい装置を設置し、装置スタック中に機能ドライバが存在しないことを入力／出力マネジャに知らせるために設置ファイルが提供される。それはもとの装置であるため、新しい物理的な装置オブジェクトは直接入力／出力リクエストパッケージを処理する。
【００５４】
ステップ３：直列ポートに基づいた既存のアプリケーションプログラムに本発明の装置にアクセスする機能をもたせるために、それはまた、
１．ＩＲＰ ＭＮ ＳＴＡＲＴ ＤＥＶＩＣＥが受取られたときに仮想ポート装置を指す文字名接続を設定し、
２．名前が仮想ポート装置の装置名であり、その番号がクラス設置サーバによって割当てられた仮想ポート装置のポート番号であるクラスＲＥＧ ＳＺの登録項目を登録フォーム内の直列マッピング位置において設定する必要がある。
【００５５】
ステップ４：その時、ドライバは任意の直列アプリケーションプログラム（たとえば、ハイパーターミナル、Ｄｉａｌ Ｕｐネットワーキング等）から入力／出力リクエストパッケージを受取り始めることができる。仮想ポートは、種々の直列ＩＯＣＴＬ  ＩＲＰを処理することによりフルサイズ直列ポートであることができる。
【００５６】
上記において、ＩＲＰ ＸＸＸとは、ＩＯＣＴＬ  ＩＲＰの名称のことである。説明されていない他のものは全て、ＩＯレジスタ装置インターフェースのような機能名称である。
【００５７】
ＵＳＢプロトコルは、プラグインまたはアウトをサポートするが、まず第１にユーザは、装置が安全に除去される前に、ハードウェア安全除去アプリケーションを実行しなければならない。このプログラムは、ユーザがその装置を除去するつもりであることをオペレーティングシステム（たとえば、Ｗｉｎｄｏｗｓ（Ｒ））に知らせ、オペレーティングシステムは現在のデータ伝送を中断して装置ドライバをアンインストールするであろう。ユーザがハードウェア安全除去アプリケーションを先に実行せずに装置を直接除去した（これは通常不意の除去と呼ばれている）場合、それはデータ損失またはシステム崩壊を生じさせる可能性がある。何故ならばこれは、アプリケーションプログラムが依然として、ＰｎＰマネジャにより許されない装置ハンドルを有しているためである。本発明は、装置ハンドルの割当てを適当なときに解除するようにアプリケーションプログラムに知らせることによりドライバにおけるこの問題を解決する。
【００５８】
Ｗｉｎｄｏｗｓ２０００およびＷｉｎｄｏｗｓ９８はＰｎＰ事象のユーザモデルおよびカーネルモデルを通知する方法を提供するので、そのためアプリケーションプログラムはメッセージＷＭ ＤＥＶＩＣＥＣＨＡＮＧＥを処理することによりシステム内のハードウェアおよび電源の構成の変更をモニタして制御することができ、または、あるドライバが登録できるまたはできないようにすることのできる装置インターフェースを容易にテストすることができる。
【００５９】
実際の構成は、２つの部分、すなわち、装置ドライバとアプリケーションプログラムとに分割されることができる。
【００６０】
装置ドライバ：物理的装置オブジェクトがＩＲＰ  ＭＮ−ＳＴＡＲＴ  ＤＥＶＩＣＥを受取ったとき、インターフェースＧＵＩＤ（全体的に特有の識別子）は、ＩＯレジスタ装置インターフェースの機能を呼出すことによって登録されることができ、その後このインターフェースはＩＯ設定装置インターフェース状態の機能を呼出すことによりエネーブルされることとなる。
【００６１】
アプリケーションプログラム：ウインドウおよびメッセージサイクルを含む現在のスレッドが設定または使用され、これから装置登録通知機能が呼出され、その後ＰｎＰマネジャは、誰かがドライバインターフェースＧＵＩＤをエネーブルまたはディスエーブルしたときに、ＷＭ ＤＥＶｔＣＥＣＨＡＮＧＥメッセージをウインドウに送る。ここで、アプリケーションプログラムは、ｗＰａｒａｍ（事象コード）がＤＢＴ ＤＥＶＩＣＥＱＵＥＲＹＲＥＭＯＶＥに等しいことに気づかなければならず、装置タイプはＤＢＴ ＤＥＶＴＹＰ ＨＡＮＤＬＥのＷＭ ＤＥＶＩＣＥＣＨＡＮＧＥメッセージである。このメッセージは、そのインターフェースがディスエーブルされようとしていることを意味する。したがって、その装置ハンドルは終結されなければならない。その後、メッセージのプロセスプログラムにおいてＴＲＵＥが無条件に戻されなければならない。
【００６２】
本発明の装置は、本発明の多くの無線データ通信装置を有するデータ処理システムを参照するマルチポート内に設置されることができ、同時アクセスがここに存在する。同時アクセスは、同じ装置を読出し／書込むためにアプリケーションプログラムが非同期アクセスモードを使用することを可能にし、これによって装置の利用度が改善され、システムの出力／入力のスループットが高められることができる。この技術を使用して、本発明はショートメッセージをブロックなしにバッチで受信／送信することができる。この機能はグループユーザに非常に適している。同時アクセスの実現は、最初に、装置オブジェクトが設定されたときに排他モードが指定されなければならず、第２に、上位ソフトウェア（アプリケーションプログラム）からの読出し／書込みリクエスト（ＩＲＰ ＭＪ ＲＥＡＤおよびＩＲＰ ＭＪ ＷＲＩＴＥ）が受取られたときに、それらが待ち行列に入れられ、それらが適当なときに終了されることである。
【００６３】
図１６には、本発明のドライバを記憶するフローが示されている。ドライバは初期化を行うように移動通信装置を制御し、移動記憶装置の構成をオペレーティングシステムに示し、加入者識別をパスした後に動作リクエストを待機し、書込み記憶モジュール11（フラッシュメモリであることができる）の動作リクエストを処理し、記憶動作コマンドをパッケージ化して、それをオペレーティングシステムを通ってファームウェアに送り、ＰｎＰまたは別のサポートされた動作を同時に処理する。動作リクエストは、本発明の装置がプルアウト（ｐｕｌｌ  ｏｕｔ）される前に待機されており、オペレーティングシステムは、移動記憶装置がプルアウトされた後にその構成を除去するように示される。通信機能を行うドライバおよび記憶機能を行うドライバは別々であってもよく、組合せられてもよい。
【００６４】
本発明は、ホストと接続するためにＵＳＢインターフェースを使用することができ、接続動作をすることができ、ユニバーサル直列バス、移動記憶技術および移動通信技術と関連付けられ、移動電話会社から提供される通信サービスを直接使用して、無線移動電話とコンピュータとの間でデータ伝送を行い、優れた信頼性の高い移動記憶および無線通信性能ならびに無線アクセスの機能を提供し、スピーチ、データ、ショートメッセージ、制御情報等を含む無線データ情報を受信および送信することができる。本発明の装置は、コンピュータをインターネットの公衆無線ネットワークターミナルにすることができる。
【００６５】
本発明は、ＵＳＢ１．１／２．０規格を満足させるためにＵＳＢバスから直接電源（４．５Ｖ乃至５．５Ｖ）を提供することができ、また、ＧＳＭ、ＧＰＲＳ、ＣＤＭＡ、ＷＣＤＭＡ、ＣＤＭＡ２０００、ＣＤＰＤおよび別の無線通信ネットワークに適用されることができる。それは、電子識別子を統合する機能を有している。本発明の各無線データ通信装置は、固有の製造番号を有している。
【００６６】
本発明は、銀行、証券会社、保険会社、先物取引のような金融分野に適応されることができ、元の有線ネットワークを、それより速く安全で便利で経済的な無線ネットワークに変更している。本発明はまた、民間航空、鉄道、公共セキュリティ、環境保護、石油化学産業、海運産業、およびチケットの遠隔販売、遠隔制御のような他の産業に適応されることができる。
【００６７】
図１７には、本発明の適用される典型的なネットワーク図が示されている。ソフトウェアを有するショートメッセージサービスプラットホームのサービスセンタは、ネットワークケーブルによってイントラネットに接続され、ショートメッセージを従業員またはクライアントの移動局ならびに本発明の無線データ通信装置を設定したコンピュータと交換することができる。本発明の無線データ通信装置を設定したこれらのコンピュータはまたインターネットと接続することができる。
【００６８】
図１８には、本発明のＳＩＭカードの挿入構造図が示されている。狭い幅のスロット20が無線データ通信装置上に設計されており、ＳＩＭカード28を挿入して電気接続するためにこのスロット中において電気コンタクト21、レバー22およびばね23が使用され、また、操作点24が狭いスロット20のそばに設けられている。この操作点24を押すことにより、挿入されたＳＩＭカードはばねによって外に出されることができる。
【００６９】
本発明を適用することにより、コンピュータは無線モードでインターネットに直接接続することが可能になる。したがつて、インターネット上での多くの種類の取引発展が場所によって制限されず、無線モードで行われるので、コンピュータはスーパー無線移動端末になる。重要な取引の安全性を確実にするために、暗号記憶機能は特別なソフトウェアを使用して、ソフトウェア、データ、通信等を暗号化するために本発明の加入者識別コードにより行われる。
【００７０】
たとえば、ソフトウェアを生成するショートメッセージサービスプラットホームは、便利でフレキシブルな情報サービスをクライアントおよび従業員に提供するために現在のショートメッセージ通信のような移動電話通信モードを使用する銀行、有価証券取引および企業においてクライアントサービスシステムを提供する。それは、ソフトウェアが特別に提供されることなく、トランザクションタイプおよびプロセスに対するパラメータを含むショートメッセージを直接適用することができる。さらに、ソフトウェアのダウンロード、インストールを必要としないがＰｎＰであることが可能で都合よく使用され維持されることのできるサービスソフトウェアが、本発明の無線データ通信装置の記憶装置内に支持されることができる。それを使用するエンティティは、ダイヤルする必要なしに、しかし依然として廉価にシステムのセット全体を直接製造して発送することができる。それは広範囲の用途をカバーし、取引のセキュリティをさらに保証するためにソフトウェア／ハードウェア暗号化を使用することができ、したがって個人専用のものにされる。
【図面の簡単な説明】
【００７１】
【図１】本発明による技術的解決方法の概略ブロック図。
【図２】電源モジュール1の概略回路図。
【図３】動作状態指示モジュール2の概略回路図。
【図４】識別コードモジュール3の概略回路図。
【図５】ＳＩＭカードのインターフェース4の概略回路図。
【図６】ＵＳＢ  ＨＵＢモジュール6の概略回路図。
【図７】制御装置モジュール17における無線データ通信制御モジュールの概略回路図。
【図８】Ｓｉｅｍｅｎｓ  ＴＣ３５モジュールを使用する無線トランシーバ8の概略回路図。
【図９】Ｗａｖｅｃｏｍ  ＷＩＳ０２Ｃモジュールを使用する無線トランシーバ8の概略回路図。
【図１０】ＵｂｉＮｅｔｉｃｓ  ＧＭ４００／ＧＭ４０１モジュールを使用する無線トランシーバ8の概略回路図。
【図１１】制御装置機能モジュール17における記憶媒体制御モジュールの概略回路図。
【図１２】記憶媒体モジュール11の概略回路図。
【図１３】本発明によるアプリケーションシステムにおけるドライバおよびファームウェアの位置の概略回路図。
【図１４】本発明による第１のファームウェアのフロー図。
【図１５】本発明による第２のファームウェアのフロー図。
【図１６】本発明による第２のドライバのフロー図。
【図１７】本発明を使用する典型的なネットワークの概略図。
【図１８】本発明によるＳＩＭカードの挿入構造の概略図。
【図１】
2005516480.tif 000003
【図２】
2005516480.tif 000004
【図３】
2005516480.tif 000005
【図４】
2005516480.tif 000006
【図５】
2005516480.tif 000007
【図６】
2005516480.tif 000008
【図７】
2005516480.tif 000009
【図８】
2005516480.tif 000010
【図９】
2005516480.tif 000011
【図１０】
2005516480.tif 000012
【図１１】
2005516480.tif 000013
【図１２】
2005516480.tif 000014
【図１３】
2005516480.tif 000015
【図１４】
2005516480.tif 000016
【図１５】
2005516480.tif 000017
【図１６】
2005516480.tif 000018
【図１７】
2005516480.tif 000019
【図１８】
2005516480.tif 000020
【国際調査報告】
2005516480.tif 000021
2005516480.tif 000022
2005516480.tif 000023
2005516480.tif 000024